(57)【特許請求の範囲】
【請求項１】
２つの筐体が、重なり合った閉状態と重なりを解消した開状態との間で切替自在な携帯電話機であって、
第１筐体と、
前記閉状態で前記第１筐体と対向する面に第１のタッチパッドが配された第２筐体と、
閉状態を検知する第１のセンサと、
開状態を検知する第２のセンサと、
前記第１のセンサが閉状態を検知しなくなった場合に前記第１のタッチパッドの入力操作の受け付けない状態を保ち、前記第２のセンサが開状態を検知した後に前記第１のタッチパッドの入力操作を受け付ける制御部とを備え、
前記制御部は、前記第２のセンサが開状態を検知しなくなった場合に、前記第１のタッチパッドについて入力操作の受け付けを停止し、その後、前記第１のセンサが閉状態を検知するまでの間、前記第１のタッチパッドを有する第１のタッチパネルの第１のディスプレイの点灯を維持し、前記第１のセンサが前記閉状態を検知したときに前記第１のディスプレイを消灯する
ことを特徴とする携帯電話機。
【請求項２】
前記第１筐体は、前記第２筐体が前記第１のタッチパッドを有する面と閉状態において対向する面とは反対側の主面に第２のタッチパッドを有しており、
前記第１筐体と前記第２筐体とは、揺動アームを介してそれぞれ回転並びに揺動自在に連結され、前記第２筐体に対し前記第１筐体を回転と揺動の合成運動をさせて閉状態と開状態との切り替えを行える構成とされ、
かつ開状態において、２つの筐体は互いの１端縁を近接対向させた状態にあると共に、前記第１のタッチパッド及び前記第２のタッチパッドが同じ向きを向いた状態となり、さらに前記第１のタッチパッド及び前記第２のタッチパッドのなす角が所定の鈍角に維持される
ことを特徴とする請求項１記載の携帯電話機。
【請求項３】
前記第１のセンサ及び前記第２のセンサは、磁気センサであり、
２つの筐体が閉状態にあるときの前記第２筐体の端縁と近接する前記第１筐体の端縁近傍に磁石が配され、その磁石の磁力に感応することができるエリア内で前記第２筐体の前記端縁近傍に前記第１のセンサが設けられ、他方、２つの筐体が開状態にあるときに、前記磁石の磁力に感応することができるエリア内で前記第２筐体の異なった端縁近傍に前記第２のセンサが設けられている
ことを特徴とする請求項２記載の携帯電話機。
【請求項４】
前記制御部は、前記第２のセンサが開状態を検知するに至ってから所定時間開状態を検知したときに、前記第１のタッチパッドの入力操作の受け付けを開始する
ことを特徴とする請求項３記載の携帯電話機。
【請求項５】
前記第１のセンサ及び第２のセンサは、前記磁力を検知するための指向性として、前記第１筐体及び前記第２筐体の回転軸方向の指向性を有する
ことを特徴とする請求項３記載の携帯電話機。
【請求項６】
前記制御部は、前記第１のセンサが閉状態を検知しなくなってから前記第２のセンサが開状態を検知するまでの間に、前記第１のディスプレイを点灯すると共に、当該第１のディスプレイを開状態よりも輝度を下げて点灯する
ことを特徴とする請求項１記載の携帯電話機。
【請求項７】
２つの筐体が、重なり合った閉状態と重なりを解消した開状態との間で切替自在な携帯電話機であって、
第１筐体と、
第１のタッチパッドが配された第２筐体と、
開状態と閉状態とを検知するセンサ部と、
前記センサ部が閉状態を検知しなくなった場合に前記第１のタッチパッドの入力操作の受け付けない状態を保ち、前記センサ部が開状態を検知した後に前記第１のタッチパッドの入力操作を受け付ける制御部とを備え、
前記制御部は、前記センサ部が開状態を検知しなくなった場合に、前記第１のタッチパッドについて入力操作の受け付けを停止し、その後、前記センサ部が閉状態を検知するまでの間、前記第１のタッチパッドを有する第１のタッチパネルの第１のディスプレイの点灯を維持し、前記センサ部が前記閉状態を検知したときに前記第１のディスプレイを消灯する
ことを特徴とする携帯電話機。
【発明の詳細な説明】
【技術分野】
【０００１】
本発明は、２つの筐体が重なり合った閉状態と重なりを解消した開状態との間で切替自在な携帯電話機に関する。
【背景技術】
【０００２】
近年、上側筐体と下側筐体とが相対的に移動可能な所謂スライド式の携帯電話機が広く用いられている。ここで、携帯電話機が開状態であるか閉状態であるかの判断は、上側筐体に内蔵される磁石と、下側筐体の閉状態で磁石と対向する位置に内蔵される磁気センサとを用いて行うことが多い（特許文献１参照）。この場合、磁石が発生する磁力に磁気センサが感応している場合に閉状態と判断し、ユーザのスライドによる移動操作により、磁石と磁気センサとが空間的に離れて、磁石が発生する磁力に磁気センサが感応しなくなった場合に開状態と判断する。
【先行技術文献】
【特許文献】
【０００３】
【特許文献１】特開２００５−９４７６３号公報
【発明の概要】
【発明が解決しようとする課題】
【０００４】
ところで、上述のようなスライド式の携帯電話機において、下側筐体にタッチパネルを備えた端末の場合、閉状態からユーザによるスライド操作が開始されて下側筐体のディスプレイの一部が露出してきたときに、ディスプレイが消灯したままであれば、ユーザは、一瞬、下側筐体のディスプレイが故障した、或いはディスプレイの点灯が遅いと誤解してストレスを感じることになる。これを回避するために、スライド操作開始直後にタッチパネルのディスプレイを点灯し稼働させることにすると、今度はスライド操作中に、ユーザの指などがこの露出し稼働状態となった下側筐体のタッチパネルに誤って接触してしまい誤動作を引き起こす可能性がある。例えば、タッチパネルに対する誤った接触をトリガとして、タッチパネルへのワンタッチで所定の通話先に対し電話を掛ける機能が起動すれば、ユーザの意図に反する不要な電話を掛け課金が発生してしまうことにもなる。
【０００５】
上記の課題に鑑み、本発明は、閉状態と開状態との切替操作時に、誤動作を低減し得る携帯電話機を提供することを目的とする。
【課題を解決するための手段】
【０００６】
上記課題を解決するために、本発明は、２つの筐体が、重なり合った閉状態と重なりを解消した開状態との間で切替自在な携帯電話機であって、第１筐体と、前記閉状態で前記第１筐体と対向する面に第１のタッチパッドが配された第２筐体と、閉状態を検知する第１のセンサと、開状態を検知する第２のセンサと、前記第１のセンサが閉状態を検知しなくなった場合に前記第１のタッチパッドの入力操作の受け付けない状態を保ち、前記第２のセンサが開状態を検知した後に前記第１のタッチパッドの入力操作を受け付ける制御部とを備える。
【発明の効果】
【０００７】
本発明の携帯電話機は、上述の構成を備えることにより、閉状態と開状態との切替操作時に、誤動作を低減し得る携帯電話機を提供することができる。
【図面の簡単な説明】
【０００８】
【図１】本発明の一実施形態に係る携帯電話機の外観斜視図であり、（ａ）は閉状態、（ｂ）は過渡状態を表す。
【図２】本発明の一実施形態に係る携帯電話機の外観斜視図であり、（ａ）はチルト状態、（ｂ）は全開状態を表す。
【図３】本発明の一実施形態に係る携帯電話機の外観側面図であり、（ａ）は閉状態、（ｂ）は過渡状態、（ｃ）はチルト状態、（ｄ）は全開状態を表す。
【図４】本発明の一実施形態に係る携帯電話機の内部構成を示すブロック図である。
【図５】本発明の一実施形態に係る携帯電話機の開閉状態の状態遷移図である。
【図６】本発明の一実施形態に係る携帯電話機の起動時状態判定処理を示すフローチャートである。
【発明を実施するための形態】
【０００９】
本発明の一実施形態に係る携帯電話機は、それぞれがタッチパネルを備える第１筐体と第２筐体とが、揺動アーム（ピボットヒンジともいう。）を介してそれぞれ回転並びに揺動自在に連結されて成り、前記第１筐体に対し前記第２筐体が回転と揺動の合成運動をすることで、両筐体が重なり合った閉状態と重なりを解消した開状態との間で切替がされる。第２筐体のタッチパネルは、閉状態で第１筐体に対向する面に配され、第１筐体のタッチパネルは、閉状態において第２筐体がタッチパネルを有する面と対向する面とは反対側の主面に配されている。開状態では、２つの筐体は互いの１端縁を近接対向させた状態にあると共に、両筐体のタッチパネルが同じ向きを向いた状態となり、さらに両筐体のタッチパネルが所定の鈍角以上の角度をなす。
【００１０】
本携帯電話機は、ユーザにより閉状態から開状態にするための切替操作が成されて閉状態を脱したことを検出すると、露出する第２筐体のタッチパネルのディスプレイを点灯させる。点灯しない場合、タッチパネルが故障している、又は反応速度が遅いなどとユーザが誤解し得るためである。このユーザがこの切替操作を行う際には、第２筐体を把持する指など身体の一部が第２筐体のタッチパネルに接触させることがあり得る。また、第１筐体が第２筐体に対して回転、揺動運動することで、第１筐体の一端部が第２筐体のタッチパネルに接触させることもあり得る。本携帯電話機は、このようなユーザの意図しないタッチパネルへの接触があった場合に、意図しない接触をユーザ指示と認識して誤動作しないように制御している。以下、本発明の一実施形態に係る携帯電話機１について具体的に説明する。
１．構成
（１）概略
図１及び図２は、携帯電話機１の外観を示す斜視図である。
【００１１】
携帯電話機１は、第１筐体２及び第２筐体３が揺動アームとしてのピボットヒンジ４により連結されて成る。ユーザにより第１筐体２及び第２筐体３が相対的に移動するよう切替操作されることで、その外観が、閉状態、過渡状態、チルト状態、全開状態の４状態（以下、「開閉状態」という。）の間で遷移する。図１（ａ）は閉状態、図１（ｂ）は過渡状態、図２（ａ）はチルト状態、図２（ｂ）は全開状態を示している。本実施の形態では、チルト状態と全開状態とを、開状態と総称する。
【００１２】
この４状態間の遷移について、携帯電話機１の側面図である図３を用いて説明する。図３において、図３（ａ）が図１（ａ）に、図３（ｂ）が図１（ｂ）に、図３（ｃ）が図２（ａ）に、図３（ｄ）が図２（ｂ）に対応している。ここで、ピボットヒンジ４は、図３（ｂ）に示すように、基端部４ｐにおいて第２筐体３を回転及び揺動自在に軸支し、先端部４ｑにおいて第１筐体２を回転及び揺動自在に軸支し、先端部４ｑと基端部４ｐとの間がアーム部４ｒとなった連結部材である。
【００１３】
携帯電話機１における閉状態は、図３（ａ）に示すように、第１筐体２と第２筐体３とが重なり合った状態である。ここで、図１、図２及び図３に示すように、第２筐体３における、ピポットヒンジ４の基端部４ｐ側の端部を上端部３ｕといい、ピポットヒンジの基端部４ｐから離れた逆側の端部を下端部３ｄという。また、第１筐体２における、閉状態で上端部３ｕに近い側の端部を上端部２ｕといい、下端部３ｄに近い側の端部を上端部２ｕという。
【００１４】
この閉状態において、ユーザが、第１筐体２の下端部３ｄ付近に付勢すると、図３（ｂ）に示すように、ピポットヒンジ４の基端部４ｐにおける回転によりアーム部４ｒが立ち上がると共に、第１筐体２もピポットヒンジ４の先端部４ｑの回転軸を中心に回転、揺動してして起き上がる。この状態が、過渡状態である。
ユーザが付勢を続けると、第１筐体２が、第２筐体３に対し回転と揺動の合成運動をさらに行い、第１筐体２の下端部２ｄが第２筐体３の一主面３ａに沿って第２筐体３の上端部３ｕに近接するように移動する。そして、図３（ｃ）に示すように、第１筐体２の下端部２ｄと第２筐体３の上端部３ｕが近接対向し、第１筐体２が、第２筐体３に対し所定の鈍角だけ後傾した状態となる。
【００１５】
この状態が、チルト状態である。ここで、第１筐体２の一主面２ａと、第２筐体３の一主面３ａとの成す鈍角の角度をαとする。本実施形態では、チルト状態は、αが、１４０°以上１８０°未満となっている状態をいうものとするが、αがどのような角度の場合にチルト状態というかは、設計に応じて変更してよい。
この状態で、ユーザが、第１筐体２が更に後傾していく方向に第１筐体２の上端部２ｕ、下端部２ｄ付近に付勢することで、図３（ｄ）に示すように、第１筐体２の面２ａと、第２筐体３の面３ａとが略同一平面上に揃う状態になる。この状態を、全開状態という。
【００１６】
以上で、４状態間の遷移についての説明を終え、次いで、構成の概略を説明する。
第１筐体２は、図１（ａ）等に示すように、面２ａに第１タッチパネル１０を備えており、下端部２ｄ近傍で側面部２ｒから距離Ｌだけ内側に磁石５を内蔵する。
第２筐体３は、面３ａに第２タッチパネル１１を備える。そして、第２筐体３は、磁石５が発生する磁力（以下、「発生磁力」という。）を感応できる位置に第１磁気センサ１２を内蔵する。第１磁気センサ１２は、一例として、第２筐体３において、閉状態で磁石５と対向する、下端部３ｄ近傍で側面部３ｒから距離Ｌだけ内側に内蔵される。
【００１７】
また、第２筐体３は、チルト状態、全開状態のいずれにおいても磁石５の磁力（図２（ａ）に５ａとして、図２（ｂ）に５ｂとして図示）を感応できる範囲内の位置に第２磁気センサ１３を内蔵する。第２磁気センサ１３は、一例として、第２筐体３において、上端部３ｕ近傍で側面部３ｒから距離Ｌだけ内側に内蔵される。
携帯電話機１においては、磁石５が発生する磁力を第１磁気センサ１２が感応している場合に、閉状態であると判断し、磁石５が発生する磁力を第１磁気センサ１２が感応できなくなった場合に、閉状態から遷移状態に遷移したと判断する。また、磁石５が発生する磁力を第１磁気センサ１２、第２磁気センサ１３のいずれもが感応していない間は、過渡状態であると判断し、磁石５が発生する磁力を第２磁気センサ１３が感応した場合に過渡状態からチルト状態に遷移したと判断する。
【００１８】
第１筐体２と第２筐体３との位置関係が、チルト状態から全開状態へ遷移するタイミングは、第１磁気センサ１２或いは第２磁気センサ１３による、磁石５が発生する磁力の感応では判断できないが、この判断については後述する。
なお、第１磁気センサ１２及び第２磁気センサ１３は、磁力の感応に関し、図２（ａ）、図２（ｂ）に矢印１２ａ及び矢印１３ａとして示す、ピボットヒンジ４の回転軸方向の指向性を有するものとする。この場合、上述の距離Ｌを適切に（一例として１ｃｍ程度。なお、この値は磁石の大きさで変化する。）調整することで、磁石５が発生する磁力（磁力５ａ、５ｂ等）を、チルト状態、全開状態のいずれの状態においても、第１筐体２、第２筐体３外部に漏れない態様で第２磁気センサ１３に感応させることができる。また、閉状態においても同様である。
【００１９】
仮に、第１磁気センサ１２、第２磁気センサ１３が、第２筐体３の主面３ａに対し垂直方向に磁力の感応に係る指向性を有している場合、磁力を第２磁気センサ１３へ感応させるため、主面３ａに対し垂直方向において発生させる必要があり、磁力が筐体外部に至らざるを得なくなる。筐体外部に対し発する磁力は、近接する他の機器を誤動作等させるなどの悪影響を与え得る。
（２）内部構成
次に、携帯電話機１の内部構成について説明する。
【００２０】
図４は、本発明の一実施形態に係る携帯電話機の内部構成を示すブロック図である。
携帯電話機１は、磁石５、第１タッチパネル１０、第２タッチパネル１１、第１磁気センサ１２、第２磁気センサ１３、タイマ１４、アンテナ１５、無線通信部１６、信号処理部１７、マイクロフォン１８、レシーバ１９、制御部２０及び表示制御部２１を含んで構成される。
【００２１】
携帯電話機１は、具体的には、マイクロプロセッサ、ＲＯＭ、ＲＡＭ、ディスプレイユニット、キーパッド、無線通信ユニット、アンテナから構成されるコンピュータシステムである。ＲＡＭには、コンピュータプログラムが記憶されている。マイクロプロセッサが、コンピュータプログラムに従って動作することにより、携帯電話機１は、その機能を達成する。
【００２２】
第１磁気センサ１２及び第２磁気センサ１３は、磁石５が発生する磁力（以下、「発生磁力」という。）を感応し、感応した旨或いは感応していた磁力が感応できなくなった旨を制御部２０に通知する磁気センサである。第１磁気センサ１２及び第２磁気センサ１３は、制御部２０への通知は、一例として、割込を用いて行うものとする。
ここで、磁石５による磁力の強度は、閉状態において第１磁気センサ１２が感応し、チルト状態において第２磁気センサ１３が感応できるものを用いており、第１磁気センサ１２と第２磁気センサ１３の双方が同時に磁力を感応することがないよう調整されている。
【００２３】
タイマ１４は、時間を計測しており、制御部２０により所定のタイマ待ち時間が設定された場合には、そのタイマ待ち時間を保持する。そして、制御部２０によりタイマ待ち時間が設定されたときから、タイマ待ち時間が経過したときに、その旨を制御部２０に通知する。この通知は、一例として割込を用いるものとする。
無線通信部１６は、アンテナ１５を介して、基地局（図示せず）と無線通信を行い、受信した信号を復調し信号処理部１７に送信する。また、無線通信部１６は、信号処理部１７から受信した信号を変調し、アンテナ１５を介して基地局に送信する。
【００２４】
信号処理部１７は、無線通信部１６から受信した信号から音声を示すベースバンド信号を復調し、復調結果であるベースバンド信号を音声信号に変換してレシーバ１９に出力する。また、信号処理部１７は、マイクロフォン１８から通話信号を受信し、通話信号をベースバンド信号に変換し、変調して無線通信部１６に送信する。また、信号処理部１７は、着信音をスピーカ（図示せず）へ出力するなどその他の音声信号に係る処理も行う。
【００２５】
マイクロフォン１８は、通話時に、利用者が発する音声を集音して電気信号である通話信号に変換し、その通話信号を信号処理部１７に送信する。
レシーバ１９は、信号処理部１７が生成した音声信号を受信し、受信した音声信号を音声に変換して拡声する。
第１タッチパネル１０は、第１ディスプレイ３１と第１タッチパッド３２から構成される。第１ディスプレイ３１は、表示制御部２１による制御に従い、画像表示等を行う。第１タッチパッド３２は、ユーザが表面に接触することにより行うユーザ指示を取得し、制御部２０に通知する。なお、第１ディスプレイ３１が点灯することを、第１タッチパネル１０が点灯するとも言い、第１タッチパッド３２に入力操作がなされることを、第１タッチパネル１０に入力操作がなされるとも言う。また、第１タッチパネル１０は、特許請求の範囲における第２のタッチパネルに相当し、第１ディスプレイ３１、第１タッチパッド３２は、それぞれ特許請求の範囲における第２ディスプレイ、第２タッチパッドに相当する。
【００２６】
第２タッチパネル１１は、第２ディスプレイ３３と第２タッチパッド３４から構成される。第２ディスプレイ３３は、表示制御部２１による制御に従い、画像表示等を行う。第２タッチパッド３４は、ユーザが表面に接触することにより行うユーザ指示を取得し、制御部２０に通知する。なお、第２ディスプレイ３３が点灯することを、第２タッチパネル１１が点灯するとも言い、第２タッチパッド３４に入力操作がなされることを、第２タッチパネル１１に入力操作がなされるとも言う。また、第２タッチパネル１１は、特許請求の範囲における第１のタッチパネルに相当し、第２ディスプレイ３３、第２タッチパッド３４は、それぞれ特許請求の範囲における第１ディスプレイ、第１タッチパッドに相当する。
【００２７】
表示制御部２１は、第１ディスプレイ３１、第２ディスプレイ３２に表示する映像、画像等を生成して、第１ディスプレイ３１、第２ディスプレイ３２にそれぞれ表示させる。また、表示制御部２１は、制御部２０から指示を受けて、第１ディスプレイ３１、第２ディスプレイ３２の点灯／消灯の制御や、点灯時に第１ディスプレイ３１、第２ディスプレイ３２に表示させる画像の生成と表示制御、画像の表示に用いる輝度の調整などを行う。
【００２８】
制御部２０は、携帯電話機１の全体動作を制御する。
２．動作
以下、携帯電話機１の状態遷移に係る動作について、制御部２０による制御処理を中心に説明する。
【００２９】
制御部２０は、携帯電話機１における上述の４状態間の状態遷移を、状態情報を用いて管理している。状態情報は、携帯電話機１の開閉状態が４状態のうちのいずれの状態であるかを表す情報であり、「閉状態」、「過渡状態」、「チルト状態」、「全開状態」のいずれかを示す。
図５は、制御部２０が、管理している開閉状態についての状態遷移図である。
【００３０】
（ａ）閉状態
制御部２０は、第１磁気センサ１２のみが発生磁力を感応し、第２磁気センサ１３が発生磁力を感応していない場合に、開閉状態が閉状態であると判断する。開閉状態が閉状態に遷移したと判断したときに、制御部２０は、状態情報を閉状態に書き換える。
制御部２０は、開閉状態が閉状態に遷移した判断したときには、第２ディスプレイ３３を消灯する。開閉状態が閉状態である場合、第１筐体２と第２筐体３とが重ね合わさっており、第２筐体３の第２タッチパネル１１は露出していないので、第２ディスプレイ３３を消灯して消費電力の低減を図るためである。また、閉状態において、制御部２０は、第２タッチパッド３４を用いたユーザの入力を受け付けない。ユーザが第２タッチパッド３４に触れることができないためである。
【００３１】
制御部２０は、状態情報が閉状態を示している場合において、発生磁力を感応しなくなった旨の割込通知を第１磁気センサ１２から受けた場合に、過渡状態に遷移すると判断する。
（ｂ）過渡状態
制御部２０は、第１磁気センサ１２、第２磁気センサ１３のいずれもが発生磁力を感応していない場合に、開閉状態が過渡状態であると判断する。制御部２０は、開閉状態が過渡状態に遷移したと判断したときに、状態情報を過渡状態に書き換える。
【００３２】
制御部２０は、開閉状態が過渡状態に遷移したと判断したときに、第２ディスプレイ３３を点灯し、画像表示を行わせる。これは、開閉状態が閉状態から過渡状態に遷移した場合、第２タッチパネル１１は、閉状態と異なり露出することになるので、このときに、第２ディスプレイ３３が消灯したままであると、ユーザは、第２ディスプレイ３３が故障したと誤解し、ユーザにとってストレスに成り得るためである。
【００３３】
また、制御部２０は、過渡状態において、第２タッチパッド３４を用いたユーザの入力は受け付けない。つまり、第２タッチパッド３４をＯＦＦとする。これは、過渡状態の場合、第１筐体２の下端部２ｄが、第２筐体３の第２タッチパッド３４に接触する場合があり得るので、この接触を第２タッチパッド３４に対する入力と判断すると、携帯電話機１がユーザの意図に反した動作をしてしまうためである。なお、本実施の形態では、ユーザは、過渡状態では、第２タッチパッド３４を用いた操作を行う意図はないものと想定している。
【００３４】
制御部２０は、状態情報が過渡状態を示している場合において、第１磁気センサ１２が発生磁力を感応した旨の割込通知を受けた場合、閉状態に遷移すると判断する。また、制御部２０は、状態情報が過渡状態を示している場合において、第２磁気センサ１３が発生磁力を感応した旨の割込通知を受けた場合、チルト状態に遷移すると判断する。
（ｃ）チルト状態
制御部２０は、第２磁気センサ１３のみが発生磁力を感応し、第１磁気センサ１２が発生磁力を感応していない場合に、開閉状態がチルト状態であると判断する。制御部２０は、開閉状態がチルト状態に遷移したと判断したときに、状態情報をチルト状態に書き換える。
【００３５】
制御部２０は、開閉状態がチルト状態の場合、第２ディスプレイ３３を点灯し、第２タッチパッド３４を用いたユーザの入力は受け付けない。これは、ユーザが携帯電話機１の開閉状態をチルト状態から全開状態にすべく第１筐体２、第２筐体３に付勢する場合に、誤って指などが第２筐体３の第２タッチパッド３４に接触する場合があり得るので、この接触を第２タッチパッド３４に対する入力と判断すると、携帯電話機１がユーザの意図に反した動作をしてしまうためである。なお、本実施形態における制御は、ユーザは、基本的に、チルト状態で第２タッチパッド３４を用いた操作を行う意図を有する場合が少なく、全開状態において第２タッチパッド３４を用いた操作を行う意図を有する場合が多いものと想定したものである。
【００３６】
制御部２０は、開閉状態がチルト状態を示す場合において、開閉状態がチルト状態に遷移してから全開操作時間経過したときに、全開状態に遷移すると判断する。ここで、チルト状態に遷移してから全開操作時間経過後に全開状態に遷移したと判断しているのは、ユーザが、携帯電話機１の第１筐体２を把持し移動操作させて、遷移状態からチルト状態にした後、さらに続けて第１筐体２に付勢して、全開操作時間経過程度で全開状態にまで至らしめるものと想定したためである。全開操作時間は、本実施形態では一例として０．５秒程度とするが、これに限るものではなく、チルト状態から全開状態にするまでに要する適切な時間とすればよい。
【００３７】
この全開操作時間の計測に関して、制御部２０は、チルト状態に遷移したときに、タイマ１４にタイマ待ち時間として全開操作時間を設定し、全開操作時間経過後にタイマ１４から割込を受け付ける。この割込を受け付けたときに、制御部２０は、状態情報を「チルト状態」から「全開状態」に変更する。また、制御部２０は、状態情報がチルト状態を示している場合において、第２磁気センサ１３が発生磁力を感応しなくなった旨の割込通知を受けた場合、過渡状態に遷移すると判断する。
【００３８】
（ｄ）全開状態
制御部２０は、第２磁気センサ１３のみが発生磁力を感応し、第１磁気センサ１２が発生磁力を感応しておらず、開閉状態がチルト状態に遷移してから全開操作時間経過したと判断した場合に、開閉状態が全開状態であると判断する。
制御部２０は、開閉状態が全開状態に遷移したと判断したとき、第２ディスプレイ３３を点灯し、第２タッチパッド３４を用いたユーザの入力を受け付ける。
【００３９】
制御部２０は、チルト状態が全開操作時間程度継続し、その後、ユーザが実際に第１筐体２、第２筐体３に付勢して開閉状態を全開状態としたか否かに関わらず、状態情報を全開状態にする。すなわち、制御部２０は、携帯電話機１の現実の開閉状態がチルト状態であるにも関わらず、状態情報を全開状態に書き換える。そうすると、状態情報が全開状態を示しており、第２タッチパッド３４を用いたユーザの入力を受け付けるため、現実の開閉状態を全開状態にすることを望まず、チルト状態のままで使用することを望んでいると考えられるユーザの希望に合致した動作ができる。
【００４０】
制御部２０は、状態情報が全開状態を示している場合において、第２磁気センサ１３が発生磁力を感応しなくなった旨の割込通知を受けた場合、過渡状態に遷移すると判断する。
次に、制御部２０における、携帯電話機１の電源がオフ状態からオン状態となったときの開閉状態がいずれの状態であるかを判断する起動時状態判定処理について説明する。
【００４１】
図６は、起動時状態判定処理を示すフローチャートである。
携帯電話機１の制御部２０は、まず、第２磁気センサ１３が発生磁力を感応しているか否か判定し（Ｓ０１）、感応している場合（Ｓ０１＝ＹＥＳ）、開閉状態が全開状態であると判断し、状態情報を全開状態に書き換える。第２磁気センサ１３が発生磁力を感応していないと判断した場合（Ｓ０１＝ＮＯ）、さらに、第１磁気センサ１２が発生磁力を感応しているか否か判定する（Ｓ０２）。
【００４２】
第１磁気センサ１２が発生磁力を感応していると判断した場合（Ｓ０２＝ＹＥＳ）、制御部２０は、開閉状態が閉状態であると判断し、状態情報を閉状態に書き換える（Ｓ０３）。
第１磁気センサ１２が発生磁力を感応していないと判断した場合（Ｓ０２＝ＮＯ）、制御部２０は、開閉状態が過渡状態であると判断し、状態情報を過渡状態に書き換える（Ｓ０４）。
【００４３】
この起動時状態判定処理の後は、図５に示した状態遷移図に従って、制御部２０は状態遷移を管理する。
以上のように、上記実施形態によれば、閉状態から脱して第２タッチパネル１１が露出したときには第２タッチパネル１１（第２ディスプレイ３３）が既に点灯しているので、ユーザが、一瞬、第２筐体３の第２タッチパネル１１が故障した、或いは第２タッチパネル１１の点灯が遅いと感じて携帯電話機１自体の性能が悪いと誤解するようなことはなく、ユーザが無用なストレスを感じるのを避けることができる。その上、閉状態を脱して開状態に至るまでの間、切替操作に伴いユーザの指などが第２タッチパネル１１（第２タッチパッド３４）に接触したとしても、入力操作と誤解して誤動作するのを避けることができる。
【００４４】
また、制御部２０は、第２磁気センサ１３が開状態を検知しなくなった場合に、第２タッチパネル１１（第２タッチパッド３４）について入力操作の受け付けを停止し、その後、第１磁気センサ１２が閉状態を検知するまでの間、第２タッチパネル１１（第２ディスプレイ３３）の点灯を維持し、第１磁気センサ１２が閉状態を検知したときに第２タッチパネル１１（第２ディスプレイ３３）を消灯する。
【００４５】
この構成により、ユーザが、開状態から閉状態への切替操作をする場合に、露出したにもかかわらず第２タッチパネル１１（第２ディスプレイ３３）が消灯して、ユーザが、一瞬、第２筐体３の第２タッチパネル１１（第２ディスプレイ３３）が故障したと誤解するようなことはないので、ユーザが無用なストレスを感じるのを避けることができる。また、開状態から閉状態に至るまでの間、切替操作に伴いユーザの指などが第２タッチパネル１１（第２タッチパッド３４）に接触したとしても、入力操作と誤解して誤動作するのを避けることができる。
【００４６】
また、第１筐体２は、第２筐体３が第２タッチパネル１１（第２タッチパッド３４）を有する面と閉状態において対向する面とは反対側の主面に第１タッチパネル１０（第１タッチパッド３２）を有しており、第１筐体２と第２筐体３とは、揺動アームを介してそれぞれ回転並びに揺動自在に連結され、第１筐体２に対し第２筐体３を回転と揺動の合成運動をさせて閉状態と開状態との切り替えを行える構成とされ、かつ開状態において、２つの筐体は互いの１端縁を近接対向させた状態にあると共に、第２タッチパネル１１（第２タッチパッド３４）及び第１タッチパネル１０（第１タッチパッド３２）が同じ向きを向いた状態となり、さらに第２タッチパネル１１（第２タッチパッド３４）及び第１タッチパネル１０（第１タッチパッド３２）のなす角が所定の鈍角に維持される。
【００４７】
この構成により、第２タッチパネル１１（第２タッチパッド３４）への入力操作を受け付けるのを、第１タッチパネル１０及び第２タッチパネル１１が完全に露出した後に限定することができる。
また、第１磁気センサ１２及び第２磁気センサ１３は、磁気センサであって、２つの筐体が閉状態にあるときの第２筐体３の端縁と近接する第１筐体２の端縁近傍に磁石が配され、その磁石の磁力に感応することができるエリア内で第２筐体３の端縁近傍に第１磁気センサ１２が設けられ、他方、２つの筐体が開状態にあるときに、磁石５の磁力に感応することができるエリア内で第２筐体３の異なった端縁近傍に第２磁気センサ１３が設けられている。
【００４８】
この構成により、第１磁気センサ１２及び第２磁気センサ１３は、エリア内であえば磁石５による発生磁力を感応しうるので、単純な機械的スイッチ等と比べ、磁石５、或いは第１磁気センサ１２及び第２磁気センサ１３の配置に柔軟性を持たせることができ、機器設計が容易になる。
また、制御部２０は、第２磁気センサ１３が開状態を検知するに至ってから所定時間開状態を検知したときに第２タッチパネル１１（第２タッチパッド３４）の入力操作の受け付けを開始する。
【００４９】
この構成により、ユーザが、両筐体のタッチパネルのなす角が所定の鈍角に維持された状態で使用する意思を有する場合、また、両筐体のタッチパネル（タッチパッド）の成す角が所定角以上、特に同一平面となった状態で使用する意思を有する場合のいずれにも対応して動作することができる。
また、第１磁気センサ１２及び第２磁気センサ１３は、磁力を検知するための指向性として、第１筐体２及び第２筐体３の回転軸方向の指向性を有することとしてもよい。
【００５０】
この構成により、磁石５が発生する磁力が携帯電話機外に及ぶのを避けるように、磁石５、第１磁気センサ１２、第２磁気センサ１３を配置することができる。
また、制御部２０は、第１磁気センサ１２が閉状態を検知しなくなってから第２磁気センサ１３が開状態を検知するまでの間に、第２タッチパネル１１（第２ディスプレイ３３）を点灯すると共に、第２タッチパネル１１（第２ディスプレイ３３）を開状態よりも輝度を下げて点灯することとしてもよい。
【００５１】
この構成により、ユーザによる、故障や、反応が鈍い等の誤解を回避しつつ、消費電力を低減することができる。
３．変形例
以上、本発明に係る携帯電話機の実施形態を説明したが、例示した携帯電話機を以下のように変形することも可能であり、本発明が上述の実施形態で示した通りの携帯電話機に限られないことは勿論である。
【００５２】
（１）上述の実施の形態では、４状態の判定に２個の磁気センサを用いる例で説明したが、これに限らず、同様の判断ができるものであれば、他のセンサを用いてもよい。
例えば、磁気センサの代わりに、光学式センサを用いてもよい。この場合、一例として、第１の光学式センサを、開閉状態が閉状態になったときに光を検知しなくなる位置に配置し、第２の光学式センサを、開閉状態が開状態になったときに、光を検知する位置に配置する。
【００５３】
また、磁気センサの代わりに、機械的なスイッチを用いてもよい。この場合、一例として、第１の機械的なスイッチを、開閉状態が閉状態になったときにオン状態となる位置に配置し、第２の機械的なスイッチを、開閉状態が開状態になったときに、オン状態となる位置に配置する。
（２）上述の実施の形態では、第２ディスプレイ３３の輝度について特に説明していないが、過渡状態では、開状態よりも輝度を低くすることとしてもよい。これにより消費電力を低減することができる。過渡状態においては、ユーザによる第２タッチパッド３４への指示の入力を受け付けず、ユーザが第２ディスプレイ３３を凝視するようなことは無いと考えられ、また、第２ディスプレイ３３が点灯さえしていれば、ユーザにおいて故障や、反応が鈍い等の誤解も生じないと考えられるためである。
【００５４】
（３）上述の実施の形態では、特に説明していないが、磁石５を構成する磁石、或いは第１磁気センサ１２、第２磁気センサ１３を構成するセンサを適当に選択することで、磁石が発生する磁力を磁気センサが感じるまでの、磁石と磁気センサとの距離を調整することができる。これにより、例えば、磁石５と第１磁気センサ１２とが、０．５センチ離れた場合に閉状態を脱したと判断したり、また、１センチ離れた場合に閉状態を脱したと判断するなど調整ができることとなり、柔軟な機器設計が可能になる。開状態についても同様に、磁石５と第２磁気センサ１３との距離が０．５センチまで近づいた場合にチルト状態に至ったと判断したり、１センチまで近づいた場合にチルト状態に至ったと判断するなど調整ができることとなり、柔軟な機器設計が可能になる。
【００５５】
（４）また、上記実施形態では、過渡状態(図５)において、第２タッチパッドをOFFにするとしているが、タッチパッドをOFFとするのではなく、例えばタッチパッドから入力されたデータを無効とする処理であっても良い。
（５）実施形態で示した状態遷移について制御する処理、起動時状態判定処理などを行う携帯電話機のプロセッサ、及びそのプロセッサに接続された各種回路に実行させるための機械語或いは高級言語のプログラムコードからなる制御プログラムを、記録媒体に記録すること、又は各種通信路等を介して流通させ頒布することもできる。このような記録媒体には、ＩＣカード、ハードディスク、光ディスク、フレキシブルディスク、ＲＯＭ、フラッシュメモリ等がある。流通、頒布された制御プログラムはプロセッサに読み出され得るメモリ等に格納されることにより利用に供され、そのプロセッサがその制御プログラムを実行することにより各実施形態で示したような各機能が実現されるようになる。なお、プロセッサは、制御プログラムを直接実行する他、コンパイルして実行或いはインタプリタにより実行してもよい。
【００５６】
（６）上述の実施形態で示した各機能構成要素は、その機能を実行する回路として実現されてもよいし、１又は複数のプロセッサによりプログラムを実行することで実現されてもよい。また、ＩＣ、ＬＳＩその他の集積回路のパッケージとして構成されるものとしてもよい。このパッケージは各種装置に組み込まれて利用に供され、これにより各種装置は、各実施形態で示したような各機能を実現するようになる。
【００５７】
（７）上述の実施形態では、ピボットヒンジを用いた例で説明したが、これに限らず、他の形状のヒンジを用いた方式、スライド式などの携帯電話機として実現してもよい。
（８）上述の実施形態は、携帯電話機の例で説明したが、本発明は、同様な構成、機能を有する携帯型の情報機器端末等としても実現し得る。
（９）上述の各実施形態及び各変形例を、部分的に組み合せてもよい。
【産業上の利用可能性】
【００５８】
本発明の携帯電話機は、それぞれがタッチパネルである２画面を有する携帯電話機であって、特に、サイズの大きな画像表示を伴ったアプリケーションを実行するのに好適である。
【符号の説明】
【００５９】
１  携帯電話機
２  第１筐体
３  第２筐体
４  ピボットヒンジ
５  磁石
１０  第１タッチパネル
１１  第２タッチパネル
１２  第１磁気センサ
１３  第２磁気センサ
１４  タイマ
１５  アンテナ
１６  無線通信部
１７  信号処理部
１８  マイクロフォン
１９  レシーバ
２０  制御部
３１  第１ディスプレイ
３２  第１タッチパッド
３３  第２ディスプレイ
３４  第２タッチパッド
【図１】
0005777946.tif 000002
【図２】
0005777946.tif 000003
【図３】
0005777946.tif 000004
【図４】
0005777946.tif 000005
【図５】
0005777946.tif 000006
【図６】
0005777946.tif 000007